(57)【要約】      （修正有）【課題】ラボラトリ機器のための引き出し組立体を提供する。【解決手段】引き出し組立体１２０は、容器１０２を受けるマガジン１０４が装填され前方端部１２４および後方端部１２６を備える引き出し１２２と、引き出しに隣接して配置され第１端部から第２端部まで長手方向１３０に延在する少なくとも１つの部分１３０を備えるフレーム１２８と、を備える。引き出しは、前方端部１２４が第１端部に隣接する格納位置と第２端部に隣接する延伸位置との間で移動可能である。フレームは、長手方向に延在する第１の部分およびその下方にある第２の部分を有する経路を備え、格納位置から延伸位置まで引き出しが移動させられるときに、経路内で移動可能な回転要素１４８が第１の部分のところで引き出しに接触し、引き出しが延伸位置にあるときにのみ回転要素が第２の部分に入ることが可能である。【選択図】図３
2018185299.tif 000002
【特許請求の範囲】
【請求項１】
ラボラトリ機器（１００）のための引き出し組立体（１２０）であって、前記引き出し組立体（１２０）が、
前記ラボラトリ機器（１００）の液体のための容器（１２０）、特には試料管を受けるためのマガジン（１０４）が装填されるように構成された引き出し（１２２）であって、前記引き出し（１２２）が前方端部（１２４）および後方端部（１２６）を備える、引き出し（１２２）と、
前記引き出し（１２２）に隣接するように配置された少なくとも１つの部分（１３０）を備えるフレーム（１２８）であって、前記部分（１３０）が第１の端部（１３４）から第２の端部（１３６）まで長手方向（１３０）に延在する、フレーム（１２８）と、
を備え、
前記引き出し（１２２）は、前記引き出し（１２２）が前記フレーム（１２８）内に格納されて前記前方端部（１２４）が前記第１の端部（１３４）に隣接する格納位置と、前記引き出し（１２２）が前記フレーム（１２８）から延伸して前記第１の端部（１２４）が前記第２の端部（１３６）に隣接する延伸位置との間で、前記フレーム（１２８）に対して移動可能であり、
前記フレーム（１２８）が、第１の部分（１４０）および前記第１の部分（１４０）の下方にある第２の部分（１４２）を有する経路（１３８）を備え、前記第１の部分（１４０）および前記第２の部分（１４２）が前記長手方向（１３２）に平行な方向に延在し、前記第１の部分（１４０）が前記第１の端部（１３４）に向かってテーパ状となっており、前記引き出し（１２２）の方を向き、
前記引き出し組立体（１２０）がさらに、
前記経路（１３８）内で移動可能である回転要素（１４８）と、
前記引き出し（１２２）が前記格納位置にあるときに前記回転要素（１４８）を前記第２の部分（１４２）から前記第１の部分（１４０）まで持ち上げるように構成されたリフト機構（１５０）と、
を備え、
前記経路（１３８）が、前記格納位置から前記延伸位置まで前記引き出し（１２２）が移動させられるときに前記回転要素（１４８）が前記第１の部分（１４０）のところに位置し前記引き出し（１２２）に接触することになるように、および、前記引き出し（１２２）が前記延伸位置にあるときにのみ前記回転要素（１４８）が前記第２の部分（１４２）に入ることが可能となるように、構成される、
引き出し組立体（１２０）。
【請求項２】
前記第１の部分（１４０）および前記第２の部分（１４２）が、そのそれぞれの端部のところにある第１の接続部分（１４４）および第２の接続部分（１４６）により互いに接続可能であり、前記引き出し（１２２）が前記延伸位置にある場合にのみ、前記第１の接続部分（１４４）が前記第１の部分（１４０）および前記第２の部分（１４２）に対して露出され、前記引き出し（１２２）が前記格納位置にある場合にのみ、前記第２の接続部分（１４６）が前記第１の部分（１４０）および前記第２の部分（１４２）に対して露出される、請求項１に記載の引き出し組立体（１２０）。
【請求項３】
前記リフト機構（１５０）が前記引き出し（１２２）によって動作可能であり、前記リフト機構（１５０）がレバー（１５２）および傾斜要素（１５４）を備え、前記傾斜要素（１５４）が、前記傾斜要素（１５４）を前記第２の部分（１４２）の方に向かせるような低い位置と前記傾斜要素（１５４）を前記第１の部分（１４０）の方に向かせるような高い位置との間で、前記レバー（１５２）の作動により傾斜可能である、請求項１または２に記載の引き出し組立体（１２０）。
【請求項４】
前記レバー（１５２）が、前記引き出し（１２２）との係合により作動されるように構成される、請求項３に記載の引き出し組立体（１２０）。
【請求項５】
前記引き出し（１２２）が互いの方を向く２つのストッパ表面（１５６、１５８）を備え、前記レバー（１５２）が前記２つのストッパ表面（１５６、１５８）の間に位置する、請求項３または４に記載の引き出し組立体（１２０）。
【請求項６】
前記経路（１３８）が前記引き出し（１２２）の下方に位置する、請求項１から５のいずれか一項に記載の引き出し組立体（１２０）。
【請求項７】
前記経路（１３８）が前記第２の端部（１３６）に隣接するところに位置する、請求項１から６のいずれか一項に記載の引き出し組立体（１２０）。
【請求項８】
少なくとも１つの容器を有するマガジン（１０４）が前記引き出し（１２２）内に装填される場合に前記延伸位置から前記格納位置まで前記引き出し（１２２）が移動するのを防止するように構成されたストッパ要素（１６６）をさらに備える、請求項１から７のいずれか一項に記載の引き出し組立体（１２０）。
【請求項９】
前記ストッパ要素（１６６）が前記マガジン（１０４）の頂部表面（１６８）を横切って延在するような位置に配置される、請求項８に記載の引き出し組立体（１２０）。
【請求項１０】
前記ストッパ要素（１６６）が少なくとも１つのフラップを備え、前記少なくとも１つのフラップが、閉位置―前記フラップ（１７０）が前記長手方向（１３２）に対して垂直な方向において前記マガジン（１０４）の前記頂部表面（１６８）を横切って延在するような位置―と、開位置―前記フラップ（１７０）が前記マガジン（１０４）の前記頂部表面（１６８）を露出するような位置―との間で枢動可能である、請求項９に記載の引き出し組立体（１２０）。
【請求項１１】
前記ストッパ要素（１６６）が、２つのフラップ（１７０）を備え、前記２つのフラップ（１７０）の各々が、閉位置―前記フラップ（１７０）が前記長手方向（１３２）に対して垂直な方向において前記マガジン（１０４）の前記頂部表面（１６８）を横切って延在するような位置―と、開位置―前記フラップ（１７０）が前記マガジン（１０４）の前記頂部表面（１６８）を露出するような位置―との間で枢動可能である、請求項１０に記載の引き出し組立体（１２０）。
【請求項１２】
前記引き出し（１２２）内の目標位置のところに前記マガジン（１０４）を配置するように構成された少なくとも１つの位置決め要素（１７２）をさらに備える、請求項１から１１のいずれか一項に記載の引き出し組立体（１２０）。
【請求項１３】
前記格納位置において前記引き出し（１２２）をロックするように構成されたロック機構をさらに備える、請求項１から１２のいずれか一項に記載の引き出し組立体（１２０）。
【請求項１４】
前記引き出し（１２２）および／または前記マガジン（１０４）の状態を検出するように構成されたセンサをさらに備える、請求項１から１３のいずれか一項に記載の引き出し組立体（１２０）。
【請求項１５】
前記ラボラトリ機器（１００）が、ラボラトリ用搬入・搬出システムであるか、または、ラボラトリ用搬入・搬出システムの一部である、請求項１から１４のいずれか一項に記載の引き出し組立体（１２０）。
【発明の詳細な説明】
【技術分野】
【０００１】
本発明はラボラトリ機器のための引き出し組立体に関する。
【背景技術】
【０００２】
例えば、患者試料を検査して種々のインビトロの診断試験を受けさせるような臨床ラボラトリなどのラボラトリでは、血液、尿などの試料を含む試験管を、慎重であるが効率的な手法で、大量に取り扱う必要がある。ここ数年、このような状況においては、対応するシステムおよびデバイスを用いる自動化された手順が利用されている。
【０００３】
これらの試料管の取り扱い中における１つの側面は、例えば冷蔵デバイスであってよい保管コンパートメント内に管が配置されることに関連するものである。効率的な取り扱いのために、管が個別には取り扱われず、いわゆるラック内に配置される。通常、管は、クライアントにより、つまり、試料をラボラトリに送る、人間、デパートメントまたは施設により、既にラック内に配置されており、その後でこれらのラック内でラボラトリに送られる(sent)かまたは移送される(transported)。ラボラトリでは、管を備えるラックが試験のためのさらなる取り扱いステップを受ける。非常に多くの場合、このようなラックは、サイズ、高さ、直径、中身、試料の使用期限などが様々の管を含み、それにより自動化される取り扱いが複雑となり、その結果、一部の事例においては、ラボラトリ内での試験プロセスでのラックのさらなる自動での挿入が不可能となり、ラックを手動で排出する必要がある。
【０００４】
ＥＰ２１４８２０４Ａ１が、ラボラトリ試料管(laboratory sample tube）を保管するためのおよび保管されている試料管を回収するためのラボラトリ用搬入・搬出システムと、ラボラトリ用搬入・搬出システム内でラボラトリ試料管を取り扱うための方法とを開示している。このシステムは、ラックハンドラセクションと、保管セクションとを備えるいわゆる保管・回収モジュールの一部である。ラックハンドラセクションが引き出し(drawers)を備え、空の主ラックおよび／またはエラーが指定された試料管を含む主ラック、および／または、少なくとも１つの回収された試料管を含むラックが、これらの引き出しを介して保管・回収モジュールから取り出され得る。
【０００５】
この自動の試料試験システムによっていくつかの利点がもたらされるが、それでも改善の余地がある。このような自動の試料取り扱いシステムの場合、除外(exception out)の実施可能性の提供が望まれる。その理由は、そのような除外により、ラボ(lab)移送システムから到来する管または保管されている管がいわゆる除外場所(exception out place)まで移送されることを可能にするからである。この動作はミドルウェアからのソフトウェアコマンドによって始動され得る。次いで、使用者が「除外」の警告が出されている（フラグが立っている）管を有する保管ラックを手動で抜き取ることができる。このような除外を可能にすることは引き出しによって実現され得る。このような引き出しは、満杯または空のラックを備える引き出しが格納させられ得るようにするために、しかしあらかじめ完全に格納させられていない場合には再挿入され得ないようにすることを確実にするために、何らかの安全対策を必要とする。その理由は、管を取り扱うのに使用されるロボットの制御装置が、引き出しの格納時に空のラックを想定しているからである。依然としてラック内にわずかでも管が存在する場合、ロボットがそれらの管を検出しない可能性があり、それをもって衝突する可能性がある。
【先行技術文献】
【特許文献】
【０００６】
【特許文献１】ＥＰ２１４８２０４Ａ１
【発明の概要】
【課題を解決するための手段】
【０００７】
本明細書では、誤用を防止し、引き出しを機器の中に押し戻すことが許可されるまで使用者に引き出しを完全に引き出させるようにするような、ラボラトリ機器のための引き出し組立体と、そのような引き出し組立体を有するラボラトリ機器とが開示される。加えて、引き出しを再装填するためにはラックを完全に空にする必要があるようにするために、１つまたは複数の試料管を中に有する保管ラックを装填することが機械的に防止される。
【０００８】
ラボラトリ機器のための引き出し組立体およびラボラトリ機器の開示される実施形態が、独立請求項の特徴を有する。単独の形でまたは任意の組み合わせの形で実現され得るような特定の実施形態が従属請求項に記載される。
【０００９】
以下で使用される「有する(have)」、「備える(comprise)」または「含む(include)」という表現、あるいは、それらの任意の文法的変形は、非排他的に使用される。したがって、これらの表現は、これらの表現によって提示される特徴に加えて、その文脈で説明される実在物内に他の特徴が存在しないような状況、ならびに、１つまたは複数の他の特徴が存在するような状況、の両方を意味することができる。例えば、「ＡはＢを有する(A has B)」、「ＡはＢを備える(A comprises B)」および「ＡはＢを含む(A includes B)」という表現は、ＡにＢ以外の他の要素が存在しないような状況（つまり、Ａが排他的にＢのみから構成されるような状況）、ならびに、実在物Ａの中に、Ｂに加えて、要素Ｃ、要素ＣおよびＤ、あるいは、さらなる他の要素などの、１つまたは複数の別の要素が存在するような状況、の両方を意味することができる。
【００１０】
さらに、「少なくとも１つ(at least one)」、「１つまたは複数(one or more)」という表現、あるいは、特徴または要素が１回または２回以上存在してよいことを示す同様の表現が、通常、それぞれの特徴または要素を提示するときに１回のみ使用される、ということに留意されたい。以下では、多くの場合において、それぞれの特徴または要素を参照するとき、「少なくとも１つ」または「１つまたは複数」という表現は繰り返されないが、これは、それぞれの特徴または要素が１回または２回以上存在してよいということを否定しない。
【００１１】
さらに、以下で使用される、「特には(particularly)」、「より特には(more particularly)」、「具体的には(specifically)」、「より具体的には(more specifically)」、または同様の表現は、代替の可能性を制限することなく、任意選択の特徴との組み合わせで使用される。したがって、これらの表現によって提示される特徴は任意選択の特徴であり、特許請求の範囲の範囲を限定することを一切意図されない。当業者には理解されるであろうが、本発明は代替の特徴を使用することによっても実施され得る。同様に、「本発明の実施形態の(in an embodiment of the invention)」または同様の表現によって提示される特徴は、本発明の代替的実施形態に関して一切制限することなく、また、本発明の範囲に関して一切制限することなく、また、このような形で提示される特徴を、本発明の他の任意選択のまたは非任意選択の特徴と組み合わせることの可能性に関して一切制限することなく、任意選択の特徴であることを意図される。
【００１２】
ラボラトリ機器のための開示される引き出し組立体は、ラボラトリ機器の液体のための容器、特には試料管、を受けるためのマガジンが装填されるように構成された引き出しであって、引き出しが前方端部および後方端部を備える、引き出しと、引き出しに隣接するように配置された少なくとも１つの部分を備えるフレームであって、この部分が第１の端部から第２の端部まで長手方向に延在する、フレームと、を備える。引き出しは、引き出しがフレーム内に格納されて前方端部が第１の端部に隣接する格納位置と、引き出しがフレームから延伸して前方端部が第２の端部に隣接する延伸位置との間で、フレームに対して移動可能である。フレームが、第１の部分および第１の部分の下方にある第２の部分を有する経路を備える。第１の部分および第２の部分は長手方向に平行な方向に延在する。第１の部分は第１の端部に向かってテーパ状となっており、引き出しの方を向く。引き出し組立体は、経路内を移動可能である回転要素と、引き出しが格納位置にあるときに回転要素を第２の部分から第１の部分まで持ち上げるように構成されたリフト機構とをさらに備える。経路は、格納位置から延伸位置まで引き出しが移動させられるときに回転要素が第１の部分のところに位置し引き出しに接触することになるように、および、引き出しが延伸位置にあるときにのみ回転要素が第２の部分に入ることが可能となるように、構成される。
【００１３】
本明細書で使用される「引き出し(drawer)」という用語は、その中に手が届くようにするために水平方向に引かれて外に出され得るような方式で一部片のボディまたはケーシングの中に嵌合される箱形状のまたは平坦なコンテナを意味する。
【００１４】
本明細書で使用される「ラボラトリ機器(laboratory instrument)」という用語は、１つまたは複数の生物試料および／または１つまたは複数の試薬に対して１つまたは複数の処理ステップ／ワークフローステップを実行するように動作可能である任意の装置または装置構成要素を意味する。それに関して、「処理ステップ(processing steps)」という表現は、遠心分離、分取、および、試料分析などの、物理的に実行される処理ステップを意味する。「ラボラトリ機器(laboratory instrument」という用語は、分析前機器（pre-analytical instrument）、分析後機器（post-analytical instrument）、またさらには、分析機器、を包含する。
【００１５】
本明細書で使用される「容器(vessel)」という用語は、分析、より特には医療分析の分野の試料または試薬を保管するのに適する任意のタイプのコンテナを意味する。このような容器は通常は管として設計される。
【００１６】
本明細書で使用される「マガジン(magazine)」という用語は、基本的に、複数の容器を保持するようにおよびラボラトリ機器に供給されるように構成された任意のデバイスを意味する。
【００１７】
本明細書で使用される「経路(path)」という用語は、回転要素を誘導する必要がある場合のようなボール経路（ball path）と同様に構成された任意の経路である。
本明細書で使用される「回転要素(rolling element)」という用語は、ボール、ローラまたはシリンダなどの、回転するように構成された任意の要素である。
【００１８】
本明細書で使用される「下方(below)」という表現は、引き出し組立体がその目標の向きにあるということを前提として、重力方向に対する向きを意味する。
上述の構成を用いて、引き出しを引き出すことが可能となり、ここでは、回転要素が引き出し方向において転がり軸受と同様に機能し、対して、テーパ状の第１の部分が、完全に引き出されない限りにおいては反対方向へ戻るような引き出しの移動を防止する。したがって、非常に単純な機構により、完全に引き出されていない場合において引き出しが後方に移動することが防止される。
【００１９】
第１の部分および第２の部分が、そのそれぞれの端部のところにある第１の接続部分および第２の接続部分により互いに接続可能となり得、ここでは、引き出しが延伸位置にある場合にのみ、第１の接続部分が第１および第２の部分に対して露出され、引き出しが格納位置にある場合にのみ、第２の接続部分が第１の部分および第２の部分に対して露出される。したがって、その端の位置にあるとき、引き出しが完全に引き出されるかまたは完全に挿入されるかのいずれかにおいて、第１の部分および第２の部分が互いに接続される。
【００２０】
リフト機構が第２の接続部分のところに配置され得る。したがって、リフト機構が、引き出しが完全に挿入されるときに回転要素を第２の部分から第１の部分まで移動させるように機能する。
【００２１】
リフト機構が引き出しにより動作可能となり得る。したがって、リフト機構を動作させるために、および、回転要素を第２の部分から第１の部分まで移動させるために、別のデバイスが提供されなければならないということがない。
【００２２】
リフト機構がレバーおよび傾斜要素を備えることができ、ここでは、傾斜要素が、傾斜要素を第２の部分の方に向かせるような低い位置と傾斜要素を第１の部分の方に向かせるような高い位置との間で、レバーの作動により傾斜可能である。したがって、傾斜機構は、傾斜運動または枢動運動により回転要素を第２の部分から第１の部分まで移動させるように構成され、それにより傾斜機構をかなりコンパクトに設計することが可能となる。
【００２３】
レバーが、引き出しとの係合により作動されるように構成され得る。したがって、レバーを動作させるのに引き出しのみが必要であり、それにより構成部材の数が減る。
引き出しが互いの方を向く２つのストッパ表面を備えることができ、ここでは、レバーが２つのストッパ表面の間に位置する。したがって、レバーが、ストッパ表面との係合により高い信頼性で動作させられ得る。
【００２４】
経路が引き出しの下方に位置する。したがって、引き出し組立体がかなりコンパクトに設計され得る。
経路が第１の端部より第２の端部の近くに位置することができる。したがって、経路が引き出しの引き出された位置の近くに配置され得る。
【００２５】
経路が第２の端部に隣接するところに位置することができる。したがって、経路が保守管理または類似の目的のために容易にアクセス可能となり得る。
回転要素がボールであってよい。したがって、回転要素がかなりコンパクトになり得、あらゆる方向に回転することができる。
【００２６】
引き出し組立体が、少なくとも１つの容器を有するマガジンが引き出し内に装填される場合に延伸位置から格納位置まで引き出しが移動するのを防止するように構成されたストッパ要素をさらに備えることができる。したがって、依然として１つまたは複数の容器を有するマガジンが装填されることが機械的に防止され、引き出しを再装填するためにはマガジンを完全に空にすることが必要となる。
【００２７】
ストッパ要素がマガジンの頂部表面を横切って延在するような位置に配置され得る。したがって、ストッパ要素が、マガジンの頂部表面から容器が突出しているかどうかを高い信頼性で検出することができる。
【００２８】
ストッパ要素は少なくとも１つのフラップを備えることができ、フラップは、閉位置―フラップが長手方向に対して垂直な方向においてマガジンの頂部表面を横切って延在するような位置―と、開位置―フラップがマガジンの頂部表面を露出するような位置―との間で枢動可能である。したがって、ストッパ要素が、１つまたは複数の容器が引き出しの中にある場合に引き出しを再装填または挿入するのを防止するように構成される。その理由は、ストッパ要素が、長手方向に対して垂直に延在することになるような位置からさらに移動させられ得ないからである。したがって、ストッパ要素が一方向弁と類似するように機能する。
【００２９】
ストッパ要素は２つのフラップを備えることができ、各フラップは、閉位置―フラップが長手方向に対して垂直な方向においてマガジンの頂部表面を横切って延在するような位置―と、開位置―フラップがマガジンの頂部表面を露出するような位置―との間で枢動可能である。したがって、ストッパ要素が、１つまたは複数の容器が引き出しの中にある場合に引き出しを再装填または挿入するのを防止するように構成される。その理由は、ストッパ要素が、長手方向に対して垂直に延在することになるような位置からさらに移動させられ得ないからである。したがって、ストッパ要素が一方向弁と同様に機能する。
【００３０】
閉位置では２つのフラップが互いの方を向くことができる。したがって、閉位置ではフラップが互いに隣接するように配置され、その結果、容器がマガジンの中にある場合にはマガジンが後方に移動させられ得ないようになる。
【００３１】
引き出し組立体が、引き出し内の目標位置のところにマガジンを配置するように構成された少なくとも１つの位置決め要素をさらに備えることができる。したがって、マガジンが正確に配置されることが保証される。
【００３２】
位置決め要素は位置決めばねまたは位置決めクランプであってよい。したがって、かなり単純な構成がマガジンを正確に位置決めすることを可能とする。
引き出し組立体が、格納位置において引き出しをロックするように構成されたロック機構をさらに備えることができる。したがって、意図されずにまたは誤って引き出しが引き出されることが防止される。
【００３３】
引き出し組立体が、引き出しおよび／またはマガジンの状態を検出するように構成されたセンサをさらに備えることができる。したがって、マガジンに１つまたは複数の容器が装填されているかどうか、ならびに／あるいは、引き出しが挿入されているのかまたは引き出されているのか、を検出する追加の安全デバイスが提供され得る。
【００３４】
ラボラトリ機器は、ラボラトリ用搬入・搬出システムであってよいか、または、ラボラトリ用搬入・搬出システムの一部であってよい。したがって、開示される引き出し組立体は自動の試料取り扱い装置と共に使用され得る。
【００３５】
開示されるラボラトリ機器が上述の少なくとも１つの引き出し組立体を備える。したがって、上述の引き出し組立体は、互いに独立して動作させられ得る別の引き出し組立体との組み合わせで使用され得る。
【００３６】
ラボラトリ機器が、液体のための複数の容器を取り扱うように構成され得る。したがって、高度な自動化が実現され得る。
ラボラトリ機器が少なくとも１つのマガジンをさらに備えることができる。したがって、多数のマガジンを広範囲で取り扱うことが実現され得る。
【００３７】
マガジンがラックであってよく、液体のための容器が試料管であってよい。したがって、一般的なラボラトリ器具が、開示されるラボラトリ機器内で使用され得る。
本発明は、コンピュータ上でのまたはコンピュータネットワーク上でのプログラムの実行時に、本明細書に含まれる実施形態のうちの１つまたは複数の実施形態において本発明による方法を実施するためのコンピュータ実行可能命令を含むコンピュータプログラムをさらに開示および提案する。具体的には、コンピュータプログラムがコンピュータ可読データ媒体上に保存され得る。したがって、具体的には、上で示した方法ステップａ）〜ｄ）のうちの１つの方法ステップ、２つ以上の方法ステップ、または、すべての方法ステップが、コンピュータまたはコンピュータネットワークを使用して、また好適にはコンピュータプログラムを使用して、実施され得る。
【００３８】
本発明は、コンピュータ上でのまたはコンピュータネットワーク上でのプログラムの実行時に、本明細書に含まれる実施形態のうちの１つまたは複数の実施形態において本発明による方法を実施することを目的とする、プラグラムコード手段を有するコンピュータプログラム製品をさらに開示および提案する。具体的には、プログラムコード手段がコンピュータ可読データ媒体上に保存され得る。
【００３９】
さらに、本発明は、その上で保存されるデータ構造を有するデータ媒体を開示および提案し、データ構造が、コンピュータまたはコンピュータネットワークの作業メモリまたはメインメモリ内にロードされるなどといったように、コンピュータまたはコンピュータネットワークにロードされた後で、本明細書で開示される実施形態のうちの１つまたは複数の実施形態による方法を実行することができる。
【００４０】
本発明は、コンピュータ上でのまたはコンピュータネットワーク上でのプログラムの実行時に、本明細書で開示される実施形態のうちの１つまたは複数の実施形態による方法を実施することを目的とする、機械可読媒体上に保存されるプログラムコード手段を有するコンピュータプログラム製品をさらに提案および開示する。本明細書で使用されるコンピュータプログラム製品は、トレード可能な製品としてのプログラムを意味する。この製品は、一般に、紙フォーマット内に存在するなどといったように任意のフォーマット内に存在してよいか、または、コンピュータ可読データ媒体上に存在してよい。具体的には、コンピュータプログラム製品がデータネットワーク上に配布され得る。
【００４１】
最後に、本発明は、本明細書で開示される実施形態のうちの１つまたは複数の実施形態による方法を実施するための、コンピュータシステムまたはコンピュータネットワークによって可読である命令を含む変調データ信号を提案および開示する。
【００４２】
好適には、本発明のコンピュータ実装の態様を参照すると、本明細書で開示される実施形態のうちの１つまたは複数の実施形態による方法の、方法ステップのうちの１つまたは複数の方法ステップ、あるいは、すべての方法ステップが、コンピュータまたはコンピュータネットワークを使用して実施され得る。したがって、一般に、データの提供／操作を含めた方法ステップのうちの任意の方法ステップが、コンピュータまたはコンピュータネットワークを使用することによって実施され得る。一般に、これらの方法ステップには、試料を提供することおよび／または実際の測定を実施することの特定の側面などの、手動の仕事を必要とするような方法ステップを通常除いた、方法ステップのうちの任意の方法ステップが含まれてよい。
【００４３】
具体的には、本発明は：
−  少なくとも１つのプロセッサを含むコンピュータまたはコンピュータネットワークであって、プロセッサが、本記述で説明される実施形態のうちの１つの実施形態による方法を実施するように適合された、コンピュータまたはコンピュータネットワークと、
−  コンピュータ上でデータ構造が実行されている間において、本記述で説明される実施形態のうちの１つの実施形態による方法を実施するように適合された、コンピュータにロード可能なデータ構造と、
−  コンピュータプログラムであって、コンピュータプログラムが、コンピュータ上でプログラムが実行されている間において、本記述で説明される実施形態のうちの１つの実施形態による方法を実施するように適合された、コンピュータプログラムと、
−  コンピュータ上でまたはコンピュータネットワーク上でコンピュータプログラムが実行されている間において、本記述で説明される実施形態のうちの１つの実施形態による方法を実施するためのプログラム手段を含むコンピュータプログラムと、
−  上記の実施形態によるプログラム手段を含むコンピュータプログラムであって、プログラム手段がコンピュータにより可読である記憶媒体上に保存される、コンピュータプログラムと、
−  記憶媒体であって、データ構造が記憶媒体上に保存され、データ構造が、コンピュータのまたはコンピュータネットワークの主記憶装置および／または作業用記憶装置にロードされた後で、本記述で説明される実施形態のうちの１つの実施形態による方法を実施するように適合された、記憶媒体と、
−  プログラムコード手段を有するコンピュータプログラム製品であって、コンピュータ上でまたはコンピュータネットワーク上でプログラムコード手段が実行される場合に本記述に記載される実施形態のうちの１つの実施形態による方法を実施するために、プログラムコード手段が記憶媒体上に保存され得るかまたは記憶媒体上に保存されている、コンピュータプログラム製品と、
をさらに開示する。
【００４４】
本発明の所見をまとめると、以下の実施形態が好適である。
実施形態１：ラボラトリ機器のための引き出し組立体であって、この引き出し組立体が、
ラボラトリ機器の液体のための容器、特には試料管を受けるためのマガジンが装填されるように構成された引き出しであって、引き出しが前方端部および後方端部を備える、引き出しと、
引き出しに隣接するように配置された少なくとも１つの部分を備えるフレームであって、この部分が第１の端部から第２の端部まで長手方向に延在する、フレームと、
を備え、
引き出しは、引き出しがフレーム内に格納されて前方端部が第１の端部に隣接する格納位置と、引き出しがフレームから延伸して前方端部を第２の端部に隣接する延伸位置との間で、フレームに対して移動可能であり、
フレームが、第１の部分および第１の部分の下方にある第２の部分を有する経路を備え、第１の部分および第２の部分が長手方向に平行な方向に延在し、第１の部分が第１の端部に向かってテーパ状となっており、引き出しの方を向き、
引き出し組立体がさらに、
経路内を移動可能である回転要素と、
引き出しが格納位置にあるときに回転要素を第２の部分から第１の部分まで持ち上げるように構成されたリフト機構と
を備え、
経路が、格納位置から延伸位置まで引き出しが移動させられるときに回転要素が第１の部分のところに位置して引き出しに接触することになるように、および、引き出しが延伸位置にあるときにのみ回転要素が第２の部分に入ることが可能となるように、構成される、引き出し組立体。
【００４５】
実施形態２：第１の部分および第２の部分が、そのそれぞれの端部のところにある第１の接続部分および第２の接続部分により互いに接続可能であり、引き出しが延伸位置にある場合にのみ、第１の接続部分が第１の部分および第２の部分に対して露出され、引き出しが格納位置にある場合にのみ、第２の接続部分が第１の部分および第２の部分に対して露出される、実施形態１に記載の引き出し組立体。
【００４６】
実施形態３：リフト機構が第２の接続部分のところに配置される、実施形態２に記載の引き出し組立体。
実施形態４：リフト機構が引き出しによって動作可能である、実施形態１から３のいずれか１つに記載の引き出し組立体。
【００４７】
実施形態５：リフト機構がレバーおよび傾斜要素を備える引き出し組立体であって、傾斜要素が、傾斜要素を第２の部分の方に向かせるような低い位置と傾斜要素を第１の部分の方に向かせるような高い位置との間で、レバーの作動により傾斜可能である、実施形態１から４のいずれか１つに記載の引き出し組立体。
【００４８】
実施形態６：レバーが、引き出しとの係合により作動されるように構成される、実施形態５に記載の引き出し組立体。
実施形態７：引き出しが互いの方を向く２つのストッパ表面を備え、レバーが２つのストッパ表面の間に位置する、実施形態５または６に記載の引き出し組立体。
【００４９】
実施形態８：経路が引き出しの下方に位置する、実施形態１から７のいずれか１つに記載の引き出し組立体。
実施形態９：経路が第１の端部より第２の端部の近くに位置する、実施形態１から８のいずれか１つに記載の引き出し組立体。
【００５０】
実施形態１０：経路が第２の端部に隣接するところに位置する、実施形態１から９のいずか１つに記載の引き出し組立体。
実施形態１１：回転要素がボールである、実施形態１から１０のいずれか１つに記載の引き出し組立体。
【００５１】
実施形態１２：引き出し組立体が、少なくとも１つの容器を有するマガジンが引き出し内に装填される場合に延伸位置から格納位置まで引き出しが移動するのを防止するように構成されたストッパ要素をさらに備える、実施形態１から１１のいずれか１つに記載の引き出し組立体。
【００５２】
実施形態１３：ストッパ要素がマガジンの頂部表面を横切って延在するような位置に配置される、実施形態１２に記載の引き出し組立体。
実施形態１４：ストッパ要素が少なくとも１つのフラップを備え、フラップが、閉位置―フラップが長手方向に対して垂直な方向においてマガジンの頂部表面を横切って延在するような位置―と、開位置―フラップがマガジンの頂部表面を露出するような位置―との間で枢動可能である、実施形態１３に記載の引き出し組立体。
【００５３】
実施形態１５：ストッパ要素が２つのフラップを備え、各フラップが、閉位置―フラップが長手方向に対して垂直な方向においてマガジンの頂部表面を横切って延在するような位置―と、開位置―フラップがマガジンの頂部表面を露出するような位置―との間で枢動可能である、実施形態１４に記載の引き出し組立体。
【００５４】
実施形態１６：閉位置では２つのフラップが互いの方を向く、実施形態１５に記載の引き出し組立体。
実施形態１７：引き出し組立体が、引き出し内の目標位置のところにマガジンを配置するように構成された少なくとも１つの位置決め要素をさらに備える、実施形態１から１６のいずれか１つに記載の引き出し組立体。
【００５５】
実施形態１８：位置決め要素が位置決めばねまたは位置決めクランプである、実施形態１７に記載の引き出し組立体。
実施形態１９：引き出し組立体が、格納位置において引き出しをロックするように構成されたロック機構をさらに備える、実施形態１から１８のいずれか１つに記載の引き出し組立体。
【００５６】
実施形態２０：引き出し組立体が、引き出しおよび／またはマガジンの状態を検出するように構成されたセンサをさらに備える、実施形態１から１９のいずれか１つに記載の引き出し組立体。
【００５７】
実施形態２１：ラボラトリ機器が、ラボラトリ用搬入・搬出システムであるか、または、ラボラトリ用搬入・搬出システムの一部である、実施形態１から２０のいずれか１つに記載の引き出し組立体。
【００５８】
実施形態２２：実施形態１から２１のいずれか１つに記載の少なくとも１つの引き出し組立体を備えるラボラトリ機器。
実施形態２３：ラボラトリ機器が、液体のための複数の容器を取り扱うように構成される、実施形態２２に記載のラボラトリ機器。
【００５９】
実施形態２４：ラボラトリ機器が少なくとも１つのマガジンをさらに備える、実施形態２２または２３に記載のラボラトリ機器。
実施形態２５：マガジンがラックであり、液体のための容器が試料管である、実施形態２４に記載のラボラトリ機器。
【００６０】
本発明の別の任意選択の特徴および実施形態が、好適には従属の実施形態と組み合わされる、好適な実施形態の以下の説明でさらに詳細に開示される。ここでは、それぞれの任意選択の特徴が、当業者により実現されるような、単独の形で、さらには、任意の実現可能な組み合わせの形で、実現され得る。本発明の範囲はこれらの好適な実施形態によって限定されない。これらの実施形態が図に概略的に描かれている。ここでは、これらの図中の同じ参照符号が等しい要素または機能的に等しい要素を意味する。
【図面の簡単な説明】
【００６１】
【図１】ラボラトリ機器を示す斜視図である。
【図２】ラックハンドラ領域を示す斜視図である。
【図３】引き出し組立体を示す斜視図である。
【図４】部分を示す斜視図である。
【図５】引き出し組立体を示す断面図である。
【図６】引き出し組立体を示す断面図である。
【図７】引き出し組立体を示す断面図である。
【図８】引き出し組立体を示す断面図である。
【図９】部分を示す平面図である。
【図１０】部分を示す平面図である。
【図１１】引き出し組立体を示す斜視図である。
【図１２】引き出し組立体を示す斜視図である。
【図１３】図１３Ａから１３Ｄは、第１の動作状態の引き出し組立体を示す異なった断面図である。
【図１４】図１４Ａから１４Ｄは、第２の動作状態の引き出し組立体を示す異なった断面図である。
【図１５】図１５Ａから１４Ｄは、第３の動作状態の引き出し組立体を示す異なった断面図である。
【図１６】図１６Ａから１６Ｄは、第４の動作状態の引き出し組立体を示す異なった断面図である。
【発明を実施するための形態】
【００６２】
図１がラボラトリ機器１００の斜視図を示す。ラボラトリ機器１００が、いわゆる、ラボラトリ用搬入・搬出システムである。別法として、ラボラトリ機器１００がラボラトリ用搬入・搬出システムの一部分であってもよい。ラボラトリ機器１００が、液体のための複数の容器１０２（図３）を取り扱うように構成される。この例示の実施形態では液体のための容器１０２が試料管である。ラボラトリ機器１００が、少なくとも１つのマガジン１０４（図２および３）をさらに備える。マガジン１０４は容器１０２を受けるように構成される。マガジン１０４はラックである。
【００６３】
ラボラトリ機器１００が、ラックハンドラセクション１０６および保管セクション１０８を備える。２つのセクション１０６、１０８の間に、装填／抜き取りインターフェース（詳細には示されない）が設けられ、ここを通してラックがラックハンドラセクション１０６から保管セクション１０８の中まで移送され、また、（回収の場合は）逆に移送される。この装填／抜き取りインターフェースがゲートなどを有することができる。
【００６４】
保管セクション１０８が冷蔵庫１１０を備えることができる。本発明の文脈の保管セクションは、マガジン１０４内で複数の試料試験管を保管することができる様々なサイズのキャビネットである。保管セクションが、保管セクション内の試験管のために周囲温度を室温未満、１８度未満であってよく、また１０度未満であってよい温度、で維持するための調節(tempering)ユニットを有することができる。
【００６５】
保管セクション１０８が、その内部に、多数のマガジン１０４を保管するための複数のシェルフを備える。本発明の幾何形状の基準を満たすマガジン１０４（つまり、種々のタイプである、到来するラック）に含まれるすべての容器１０２がそれらのそれぞれのマガジン１０４から取り出され、適切な保管ラックへと再び仕分けられ、その後で保管セクション１０８に装填される。保管セクションは、１人または２人の人間がドア（詳細には示されない）を通って保管セクション１０８の内部に入るのを可能にするのに十分な大きさであってよい。ドアが開けられている場合、安全スイッチング回路により、すべての動いているシステム（ロボットアーム、あるいは、他の移送または運搬システム、など）が、例えばニュートラルポジションまたはホームポジションで停止するようになる。マガジン１０４は複数の列のラックであり、例えば１１個以上の位置、例としては１３個から１０８個の位置、を備える３列である。さらに、保管セクション１０８が廃棄ユニット１１２を備えることができる。廃棄ユニット１１２が、保管セクション１０８を廃棄ユニット１１２から分離する壁の中にある内部開口部（詳細には示されない）を介して保管セクション１０８に接続される。この開口部を通して、使用期限（つまり、貯蔵寿命）の過ぎている容器１０２が廃棄ユニット１１２内で自動で廃棄され得る。ラックハンドラセクション１０６が、窓を備える複数の外壁から構成されたハウジングを有し、その結果、作業員が、機能しているラックハンドラの全体を直接に視認することができるようになる。ラックハンドラセクション１０６が外壁のうちの１つの外壁の中に開口部１１４を備え、開口部１１４を通してラックがラボラトリ機器１００の中に挿入され得る。
【００６６】
図２が、ラックハンドラセクション１０６のラックハンドラ領域１１６の斜視図を示す。開口部１１４が、少なくとも１つのロボットアーム１１８を備えるラックハンドラ領域１１６に繋がっている。開口部１１４は、スライドドアまたは格納式ドア（詳細には示されない）により閉鎖可能となり得る。
【００６７】
ラボラトリ機器１００が少なくとも１つの引き出し組立体１２０をさらに備える。引き出し組立体１２０がラックハンドラセクション１０６内に位置する。引き出し組立体１２０により、空のマガジン１０４、および／または、エラーが指定された容器１０２を含むマガジン１０４、ならびに／あるいは、少なくとも１つの回収された容器１０２を含むマガジン１０４が、ラボラトリ機器１００から取り出され得る。以下で、引き出し組立体１２０をさらに詳細に説明する。
【００６８】
図３が引き出し組立体１２０の斜視図を示す。以下では１つの引き出し組立体１２０に関連してのみ説明されるが、２つ以上の引き出し組立体１２０が存在してもよいことに留意されたい。引き出し組立体１２０が、ラボラトリ機器１００の液体のための容器１０２、具体的には試料管を受けるためのマガジン１０４が装填されるように構成された引き出し１２２を備える。引き出しが前方端部１２４および後方端部１２６を備える。前方端部１２４および後方端部１２６が互いに反対側に位置する。前方端部１２４が、ラボラトリ機器１００の方を向く引き出し１２２の端部となるように構成される。後方端部１２６が、ラボラトリ機器１００から離れる方を向く引き出し１２２の端部となるように、および、ラボラトリ機器１００の使用者に対して露出されるようにまたはアクセス可能となるように、構成される。引き出し組立体１２０が、引き出し１２２に隣接するように配置された少なくとも１つの部分１３０を備えるフレーム１２８をさらに備える。
【００６９】
図４が部分１３０の斜視図を示す。部分１３０が第１の端部１３４から第２の端部１３６まで長手方向１３２に延在する。引き出し１２２がフレーム１２８に接続される。引き出し１２２は、引き出し１２２がフレーム１２８内に格納されるかまたは挿入されて前方端部１２４が第１の端部１３４に隣接する格納位置と、引き出し１２２がフレーム１２８から延伸して前方端部１２４が第２の端部１３６に隣接する延伸位置との間で、フレーム１２８に対して移動可能である。フレーム１２８が経路１３８を備える。
【００７０】
図５および図６が、異なる動作状態の引き出し組立体１２０の断面図を示す。図７および８が、図５および図６の平面に平行な平面に沿う、異なる動作状態の引き出し組立体１２０の断面図を示す。経路１３８が引き出し１２２の下方に位置する。経路１３８が第１の端部１３４より第２の端部１３６の近くに位置する。より具体的には、経路１３８が第２の端部１３６に隣接するように位置する。経路が第１の部分１４０および第１の部分１４０の下方にある第２の部分１４２を有する。第１の部分１４０および第２の部分１４２が長手方向１３２に平行な方向に延在する。第１の部分１４０が第１の端部１３４に向かってテーパ状となっており、引き出し１２２の方を向く。第１の部分１４０および第２の部分１４２が、そのそれぞれの端部のところにある第１の接続部分１４４および第２の接続部分１４６により互いに接続可能である。引き出し１２２が延伸位置にある場合にのみ、第１の接続部分１４４が第１の部分１４０および第２の部分１４２に対して露出される。引き出し１２２が格納位置にある場合にのみ、第２の接続部分１４６が第１の部分１４０および第２の部分１４２に対して露出される。
【００７１】
引き出し組立体１２０が、経路１３８内を移動可能である回転要素１４８をさらに備える。例示の実施形態では、回転要素１４８がボールである。図５に示されるように格納位置から延伸位置まで引き出し１２２が移動させられるときに回転要素１４８が第１の部分１４０のところに位置して引き出し１２２に接触することになるように、および、図６に示されるようにおよび後でさらに詳細に説明されるように引き出し１２２が延伸位置にあるときにのみ回転要素１４８が第２の部分１４２に入ることが可能となるように、経路１３８が設計または構成される。
【００７２】
引き出し組立体１２０が、引き出しが格納位置にある場合に回転要素１４８を第２の部分１４２から第１の部分１４０まで持ち上げるように構成されたリフト機構１５０をさらに備える。リフト機構１５０が第２の接続部分のところに配置される。リフト機構１５０が引き出しにより動作可能である。リフト機構１５０がレバー１５２および傾斜要素１５４を備える。傾斜要素１５４が、傾斜要素１５４を第２の部分１４２の方に向かせるような図６に示される低い位置と傾斜要素１５４を第１の部分１４０の方に向かせるような図５に示される高い位置との間で、レバー１５２の作動により傾斜可能である。レバー１５２が、引き出し１２２との係合により作動されるように構成される。このため、引き出し１２２が互いの方を向く２つのストッパ表面１５６、１５８を備え、ここでは、レバー１５２が２つのストッパ表面１５６、１５８の間に位置する。ストッパ表面１５６、１５８が引き出し１２２の下側１６０のところに位置する。第１のストッパ表面１５６が第１の端部１２４に隣接するように配置され、第２のストッパ表面１５８が後方端部１２６に隣接するように配置される。図７が第２のストッパ表面１５８に係合されるレバー１５２を示しており、これは、傾斜要素１５４が高い位置にあることを意味している。図８が第１のストッパ表面１５６に係合されるレバー１５２を示しており、これは、傾斜要素１５４が低い位置にあることを意味している。
【００７３】
図９および図１０が、引き出し組立体１２０の、異なる動作状態の部分１３０の平面図を示している。第１の部分１４０が第１の端部１３４に向かってテーパ状となっていることから、引き出し１２２が延伸位置に向かってのみ移動することが可能である。その理由は、第１の部分１４０にある回転要素１４８のみが図９に矢印１６２で示される方向に移動させられ得るからである。回転要素１４８により、引き出し１２２が格納位置に向かって反対方向に移動することが防止される。その理由は、回転要素１４８が、第１の部分１４０内で、反対方向においては、図１０に矢印１６４で示される方向に非常にわずかな程度でのみしか移動させられ得ないからである。
【００７４】
図１１および図１２が引き出し組立体１２０の斜視図を示す。引き出し組立体１２０が、少なくとも１つの容器１０２を有するマガジン１０４が引き出し１２２内に装填される場合に延伸位置から格納位置まで引き出し１２２が移動するのを防止するように構成されたストッパ要素１６６をさらに備える。ストッパ要素１６６が、マガジン１０４の頂部表面１６８を横切って延在するような位置に配置される。ストッパ要素１６６は少なくとも１つのフラップ１７０を備え、フラップ１７０は、図１１に示される閉位置―フラップ１７０が長手方向１３２に対して垂直な方向においてマガジン１０４の頂部表面１６８を横切って延在するような位置―と、図１２に示される開位置―フラップ１７０がマガジン１０４の頂部表面１６８を露出するような位置―との間で枢動可能である。例示の実施形態では、ストッパ要素１６６は２つのフラップ１７０を備え、フラップ１７０の各々は、閉位置―それぞれのフラップ１７０が長手方向１３２に対して垂直な方向においてマガジン１０４の頂部表面１６８を横切って延在するような位置―と、開位置―それぞれのフラップ１７０がマガジン１０４の頂部表面１６８を露出するような位置―との間で枢動可能である。引き出し１２２が完全に格納位置にある場合、フラップ１２２がマガジン１０４の頂部表面１６８を横切って延在しない。というよりは、フラップ１７０が長手方向１３２に対して垂直な方向に延在し、頂部表面１６８に隣接する。閉位置では２つのフラップ１７０が互いの方を向く。開位置では、フラップ１７０が、フレーム１２８の部分１３０の第２の端部１３６に向かう長手方向に１３２に対して平行な方向に、互いに平行に延在する。図１２が引き出し１２２が引き出された状態を示しており、対して、図１１が引き出し１２２がフレーム１２８に挿入または装填された状態を示しているということことに留意されたい。
【００７５】
引き出し組立体１２０が、マガジン１０４を引き出し１２２内の目標位置のところに配置するように構成された少なくとも１つの位置決め要素１７２をさらに備える。例示の実施形態では、位置決め要素１７２が位置決めばねまたは位置決めクランプである。
【００７６】
引き出し組立体１２０が、任意選択で、引き出し１２２を格納位置でロックするように構成されたロック機構をさらに備えることができる。引き出し組立体１２０が、任意選択で、引き出し１２２および／またはマガジン１０４の状態を検出するように構成されたセンサをさらに備えることができる。例えば、センサが、引き出し１２２が格納位置または延伸位置あるいはそれらの間の任意の位置のいずれにあるのかを検出することができる。加えてまたは別法として、センサが、マガジン１０４が空であるのかどうか、あるいは、少なくとも１つの容器が存在するのかどうか、を検出することができる。
【００７７】
図１３Ａ〜１３Ｄが、第１の動作状態にある引き出し組立体１２０の異なる断面図を示している。図１３Ａ〜１３Ｄに示される第１の動作状態では、引き出し１２２が図１３Ａで特に示される格納位置にある。リフト機構１５０の傾斜要素１５４が図１３Ｂに示されるような高い位置にあり、ここでは、傾斜要素１５４が第１の部分１４０の方を向く。回転要素１４８が図１３Ｂおよび１３Ｄに示されるように第１の部分１４０にある。リフト機構１５０のレバー１５２が、図１３Ｃに示されるように、引き出し１２２の第２のストッパ表面１５８に係合される。
【００７８】
図１４Ａ〜１４Ｄが、第２の動作状態にある引き出し組立体１２０の異なる断面図を示している。図１４Ａ〜１４Ｄに示される第２の動作状態では、引き出し１２２が、図１４Ａに特に示されるように、格納位置から延伸位置への途中の中間位置にある。言い換えると、引き出し１２２が使用者によって引き出され始めており、その結果、図１３Ａに示される格納位置と比較すると、引き出しが右側に位置している。リフト機構１５０の傾斜要素１５４が依然として図１４Ｂに示される高い位置にあり、ここでは、傾斜要素１５４が第１の部分１４０の方を向く。回転要素１４８が依然として図１４Ｂおよび１４Ｄに示されるように第１の部分１４０にある。リフト機構１５０のレバー１５２が移動させられておらず、引き出し１２２の第２のストッパ表面１５８に係合されていないが、図１４Ｃに示されるように、第１のストッパ表面１５６と第２のストッパ表面１５８との間に位置する。テーパ状の第１の部分１４０および回転要素１４８が、図１４Ｄの図示に関して引き出し１２２が左側に移動させられるのを妨害する。
【００７９】
図１５Ａ〜１５Ｄが、第３の動作状態にある引き出し組立体１２０の異なる断面図を示している。図１５Ａ〜１５Ｄに示される第３の動作状態では、引き出し１２２が、図１５Ａに特に示されるように、延伸位置にある。言い換えると、引き出し１２２が使用者によって完全に引き出されており、その結果、図１４Ａに示される中間位置と比較すると、引き出しが右側に位置している。リフト機構１５０の傾斜要素１５４が図１５Ｂに示される低い位置にあり、ここでは、傾斜要素１５４が第２の部分１４２の方を向く。回転要素１４８が、図１５Ｂおよび１５Ｄに示されるように、第１の接続部分１４４を通って第２の部分１４２に入ることが可能となる。リフト機構１５０のレバー１５２が、図１５Ｃに示されるように、引き出し１２２の第１のストッパ表面１５６に係合される。
【００８０】
図１６Ａ〜１６Ｄが、第４の動作状態にある引き出し組立体１２０の異なる断面図を示している。図１６Ａ〜１６Ｄに示される第４の動作状態では、引き出し１２２が、図１６Ａに特に示されるように、延伸位置から格納位置への途中の中間位置にある。言い換えると、引き出し１２２が使用者によりラボラトリ機器１００に装填され始めており、その結果、図１５Ａに示される延伸位置と比較して、引き出しが左側に位置している。リフト機構１５０の傾斜要素１５４が依然として図１６Ｂに示されるような低い位置にあり、ここでは、傾斜要素１５４が第２の部分１４２の方を向く。回転要素１４８が依然として図１６Ｂおよび１６Ｄに示されるような第２の部分１４２にある。リフト機構１５０のレバー１５２が引き出し１２２の第１のストッパ表面１５６に係合されていないが、図１６Ｃに示されるように、第１のストッパ表面１５６と第２のストッパ表面１５８との間に位置している。第２の部分１４２が、テーパ状ではなく、直線状などとなるように設計され得ることから、回転要素１４８は、図１６Ｄの図示に関して引き出し１２２が左側に移動させられるのを妨害しない。
【００８１】
引き出し１２２が図１６Ａおよび１６Ｄの図示に関してさらに左側に移動させられると、引き出し１２２が再び格納位置まで移動させられる。リフト機構１５０のレバー１５２が引き出し１２２の第２のストッパ表面１５８に係合されると、リフト機構１５０の傾斜要素１５４が低い位置から高い位置まで移動させられる。それにより、回転要素１４８が、傾斜要素１５４により、第２の接続部分１４６を通って第１の部分まで上方に移動させられる。したがって、引き出し１２２が図１３Ａに示されるように再び配置される。この位置では、位置決め要素１７２が、所定の方向への付勢力により、マガジン１０４を引き出し１２２内のその目標位置のところに配置する。
【００８２】
引き出し１２２が格納位置にある間において少なくとも１つの容器１０２がマガジン１０４内に存在する場合、ストッパ要素１６６のフラップ１７０が閉位置にあり、長手方向１３２に対して垂直な方向に延在する。引き出し１２２が延伸位置まで移動させられると、フラップ１７０が、容器１０２に係合されることにより、開位置まで移動または枢動させられ、図１２に示されるように長手方向１３２に平行に延在する。すべての容器１０２を取り外した後、フラップ１７０が再び閉位置へと移動または枢動することができ長手方向１３２に対して垂直な方向に延在することができる。すべての容器１０２がマガジン１０４から取り外されているわけではなく、１つまたは複数の容器１０２がマガジン１０４内に依然として存在する場合、マガジン１０４が格納位置まで再び移動させられることが阻止される。これは、フラップ１７０が容器１０２に係合されることになり、それによりフレーム１２８の部分１３０の第１の端部１３４に向かって反対方向に移動または枢動することが可能ではないことを理由とする。
【符号の説明】
【００８３】
１００  ラボラトリ機器
１０２  容器
１０４  マガジン
１０６  ラックハンドラセクション
１０８  保管セクション１０８
１１０  冷蔵庫
１１２  廃棄ユニット
１１４  開口部
１１６  ラックハンドラ領域
１１８  ロボットアーム
１２０  引き出し組立体
１２２  引き出し
１２４  前方端部
１２６  後方端部
１２８  フレーム
１３０  部分
１３２  長手方向
１３４  第１の端部
１３６  第２の端部
１３８  経路
１４０  第１の部分
１４２  第２の部分
１４４  第１の接続部分
１４６  第２の接続部分
１４８  回転要素
１５０  リフト機構
１５２  レバー
１５４  傾斜要素
１５６  第１のストッパ表面
１５８  第２のストッパ表面
１６０  下側
１６２  矢印
１６４  矢印
１６６  ストッパ要素
１６８  頂部表面
１７０  フラップ
１７２  位置決め要素
【図１】
2018185299.tif 000003
【図２】
2018185299.tif 000004
【図３】
2018185299.tif 000005
【図４】
2018185299.tif 000006
【図５】
2018185299.tif 000007
【図６】
2018185299.tif 000008
【図７】
2018185299.tif 000009
【図８】
2018185299.tif 000010
【図９】
2018185299.tif 000011
【図１０】
2018185299.tif 000012
【図１１】
2018185299.tif 000013
【図１２】
2018185299.tif 000014
【図１３】
2018185299.tif 000015
【図１４】
2018185299.tif 000016
【図１５】
2018185299.tif 000017
【図１６】
2018185299.tif 000018
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
ラボラトリ機器（１００）のための引き出し組立体（１２０）であって、前記引き出し組立体（１２０）が、
前記ラボラトリ機器（１００）の液体のための容器（１２０）が装填されるように構成された引き出し（１２２）であって、前記引き出し（１２２）が前方端部（１２４）および後方端部（１２６）を備える、引き出し（１２２）と、
前記引き出し（１２２）に隣接するように配置された少なくとも１つの部分（１３０）を備えるフレーム（１２８）であって、前記部分（１３０）が第１の端部（１３４）から第２の端部（１３６）まで長手方向（１３０）に延在する、フレーム（１２８）と、
を備え、
前記引き出し（１２２）は、前記引き出し（１２２）が前記フレーム（１２８）内に格納されて前記前方端部（１２４）が前記第１の端部（１３４）に隣接する格納位置と、前記引き出し（１２２）が前記フレーム（１２８）から延伸して前記第１の端部（１２４）が前記第２の端部（１３６）に隣接する延伸位置との間で、前記フレーム（１２８）に対して移動可能であり、
前記フレーム（１２８）が、第１の部分（１４０）および前記第１の部分（１４０）の下方にある第２の部分（１４２）を有する経路（１３８）を備え、前記第１の部分（１４０）および前記第２の部分（１４２）が前記長手方向（１３２）に平行な方向に延在し、前記第１の部分（１４０）が前記第１の端部（１３４）に向かってテーパ状となっており、前記引き出し（１２２）の方を向き、
前記引き出し組立体（１２０）がさらに、
前記経路（１３８）内で移動可能である回転要素（１４８）と、
前記引き出し（１２２）が前記格納位置にあるときに前記回転要素（１４８）を前記第２の部分（１４２）から前記第１の部分（１４０）まで持ち上げるように構成されたリフト機構（１５０）と、
を備え、
前記経路（１３８）が、前記格納位置から前記延伸位置まで前記引き出し（１２２）が移動させられるときに前記回転要素（１４８）が前記第１の部分（１４０）のところに位置し前記引き出し（１２２）に接触することになるように、および、前記引き出し（１２２）が前記延伸位置にあるときにのみ前記回転要素（１４８）が前記第２の部分（１４２）に入ることが可能となるように、構成される、
引き出し組立体（１２０）。
【請求項２】
前記第１の部分（１４０）および前記第２の部分（１４２）が、そのそれぞれの端部のところにある第１の接続部分（１４４）および第２の接続部分（１４６）により互いに接続可能であり、前記引き出し（１２２）が前記延伸位置にある場合にのみ、前記第１の接続部分（１４４）が前記第１の部分（１４０）および前記第２の部分（１４２）に対して露出され、前記引き出し（１２２）が前記格納位置にある場合にのみ、前記第２の接続部分（１４６）が前記第１の部分（１４０）および前記第２の部分（１４２）に対して露出される、請求項１に記載の引き出し組立体（１２０）。
【請求項３】
前記リフト機構（１５０）が前記引き出し（１２２）によって動作可能であり、前記リフト機構（１５０）がレバー（１５２）および傾斜要素（１５４）を備え、前記傾斜要素（１５４）が、前記傾斜要素（１５４）を前記第２の部分（１４２）の方に向かせるような低い位置と前記傾斜要素（１５４）を前記第１の部分（１４０）の方に向かせるような高い位置との間で、前記レバー（１５２）の作動により傾斜可能である、請求項１または２に記載の引き出し組立体（１２０）。
【請求項４】
前記レバー（１５２）が、前記引き出し（１２２）との係合により作動されるように構成される、請求項３に記載の引き出し組立体（１２０）。
【請求項５】
前記引き出し（１２２）が互いの方を向く２つのストッパ表面（１５６、１５８）を備え、前記レバー（１５２）が前記２つのストッパ表面（１５６、１５８）の間に位置する、請求項３または４に記載の引き出し組立体（１２０）。
【請求項６】
前記経路（１３８）が前記引き出し（１２２）の下方に位置する、請求項１から５のいずれか一項に記載の引き出し組立体（１２０）。
【請求項７】
前記経路（１３８）が前記第２の端部（１３６）に隣接するところに位置する、請求項１から６のいずれか一項に記載の引き出し組立体（１２０）。
【請求項８】
少なくとも１つの容器を有するマガジン（１０４）が前記引き出し（１２２）内に装填される場合に前記延伸位置から前記格納位置まで前記引き出し（１２２）が移動するのを防止するように構成されたストッパ要素（１６６）をさらに備える、請求項１から７のいずれか一項に記載の引き出し組立体（１２０）。
【請求項９】
前記ストッパ要素（１６６）が前記マガジン（１０４）の頂部表面（１６８）を横切って延在するような位置に配置される、請求項８に記載の引き出し組立体（１２０）。
【請求項１０】
前記ストッパ要素（１６６）が少なくとも１つのフラップを備え、前記少なくとも１つのフラップが、閉位置―前記フラップ（１７０）が前記長手方向（１３２）に対して垂直な方向において前記マガジン（１０４）の前記頂部表面（１６８）を横切って延在するような位置―と、開位置―前記フラップ（１７０）が前記マガジン（１０４）の前記頂部表面（１６８）を露出するような位置―との間で枢動可能である、請求項９に記載の引き出し組立体（１２０）。
【請求項１１】
前記ストッパ要素（１６６）が、２つのフラップ（１７０）を備え、前記２つのフラップ（１７０）の各々が、閉位置―前記フラップ（１７０）が前記長手方向（１３２）に対して垂直な方向において前記マガジン（１０４）の前記頂部表面（１６８）を横切って延在するような位置―と、開位置―前記フラップ（１７０）が前記マガジン（１０４）の前記頂部表面（１６８）を露出するような位置―との間で枢動可能である、請求項１０に記載の引き出し組立体（１２０）。
【請求項１２】
前記引き出し（１２２）内の目標位置のところに前記マガジン（１０４）を配置するように構成された少なくとも１つの位置決め要素（１７２）をさらに備える、請求項１から１１のいずれか一項に記載の引き出し組立体（１２０）。
【請求項１３】
前記格納位置において前記引き出し（１２２）をロックするように構成されたロック機構をさらに備える、請求項１から１２のいずれか一項に記載の引き出し組立体（１２０）。
【請求項１４】
前記引き出し（１２２）および／または前記マガジン（１０４）の状態を検出するように構成されたセンサをさらに備える、請求項１から１３のいずれか一項に記載の引き出し組立体（１２０）。
【請求項１５】
前記ラボラトリ機器（１００）が、ラボラトリ用搬入・搬出システムであるか、または、ラボラトリ用搬入・搬出システムの一部である、請求項１から１４のいずれか一項に記載の引き出し組立体（１２０）。
【外国語明細書】
2018185299000001.pdf